(57)【特許請求の範囲】
【請求項１】
開閉体に配設され、回動操作によってデッドボルトの進退を行い該開閉体の施解錠を行うサムターンの構造であって、
真直な軸部と、該軸部の先端に設けられるつまみ部とを具備し、
前記軸部は、
前記開閉体内部にて前記デッドボルトと連動連結され、剛体よりなる軸本体と、
前記開閉体より突出する前記軸本体の先端に一端が固設され、施錠方向に巻き締まる方向を巻き方向とし、解錠方向には巻き緩むコイルバネにて構成され、前記軸本体と同軸芯となって真直とされるとともに、前記軸部の軸線に対して偏芯した方向の力により屈曲し揺動自在となる可撓性を有する可撓部と、
で構成され、
前記つまみ部は、基部に対して互いに外方向に延出形成される一対の翼状部分を有し、前記軸部とともに略Ｔ字状に形成されており、
前記つまみ部の正面から該つまみ部をつまみ、前記軸線を回転中心として回転操作が行われる際には、前記可撓部を介し前記軸本体とともに前記軸部へ回転が伝達されて施解錠操作が行われるとともに、前記つまみ部を側方から回動させようとすると、前記可撓部が前記軸芯に対して屈曲を起こし正常な回動が阻止され、
且つ、前記軸部と前記つまみ部とは、該つまみ部の基部に形成される凹溝と、前記可撓部の他端に折曲形成される真直部とが嵌合し、互いに脱着自在とされることを特徴とするサムターンの構造。
【発明の詳細な説明】
【０００１】
【発明の属する技術分野】
本発明は、玄関ドアなどの開閉体に設けられ、このドアに対して施解錠を行うサムターンの構造に関するものである。
【０００２】
【従来の技術】
玄関ドアなどには、通常、シリンダ錠が配設されており、屋外側からは鍵を用いて、このシリンダ錠を回動操作し、デッドボルトの進退を行って施錠及び解錠を行うようになっており、また、屋内側からはシリンダ錠に連結されているサムターンを回動操作することでデッドボルトの進退を行い施錠及び解錠を行うようになっている。
【０００３】
そして、通常、このサムターンの回動は、約９０°の回動範囲内とされ、その範囲で施錠又は解錠となるよう構成されており、このサムターンの略平板状に形成されているつまみ部を略垂直な状態と略水平な状態との間で回動させることで、例えば垂直な状態の際に解錠状態となり、また水平な状態の際に施錠状態となるようになっている。
【０００４】
一般に、上述したサムターンの構造は、錠箱内にてデッドボルトの進退を連動させる軸状の部材であり、ドアの屋内側面や座金，エスカチオンより突出するこの軸部材の端部に、つまみ部が一体に形成されている。そして、このつまみ部は、容易につまみ易いように軸部材に対して外側に延出するよう形成され、この軸部材とつまみ部とで略Ｔ字状に形成されており、容易に損壊しないように鋳造品など剛体よりなる。
【０００５】
【発明が解決しようとする課題】
上述したサムターンの構造では、通常の使用方法は、サムターンの設けられている側、すなわち屋内側に設けられている場合には、その屋内側より操作することとなり、サムターンに対し対向状態でこのサムターンのつまみ部をつまみ回動操作を行う使用方法であるが、上記したようにこのサムターンが剛体であることから、つまみ部をつままずに回動させることが可能である。
すなわち、軸部材に対して外方向に延出して形成されるつまみ部の一対となる翼状部分の一方側のみに回転力を加えることで、このサムターンの軸部材を回動させる通常の使用方法以外の操作が可能である。
【０００６】
このことから、サムターンを備えた施錠装置の設けられるドアに、ガラス窓部分を有しているドアである場合に、屋外側からガラス窓の一部を割り、手を屋内側へ入れ、手探りでサムターンのつまみ部の翼状部分の一方に回転力を加えることで、サムターンを回動操作されてしまうおそれがあり、すなわち、施錠状態が解除され侵入されてしまうという防犯上の問題がある。
【０００７】
そこで本発明は、上記問題点を解消するために、つまみ部を正面からつまみ持った際にのみサムターンの回動を行うことを可能とし、不正な回動操作を防止することのできるサムターンの構造を提供することを目的としている。
【０００８】
【課題を解決するための手段】
次に、上記の課題を解決するための手段を、実施の形態に対応する図面を参照して説明する。
この発明のサムターンの構造は、開閉体２に配設され、回動操作によってデッドボルトの進退を行い該開閉体２の施解錠を行うサムターンの構造であって、
真直な軸部３と、該軸部３の先端に設けられるつまみ部１０とを具備し、
前記軸部３は、
前記開閉体２内部にて前記デッドボルトと連動連結され、剛体よりなる軸本体４と、
前記開閉体２より突出する前記軸本体４の先端４ａに一端５ａが固設され、施錠方向に巻き締まる方向を巻き方向とし、解錠方向には巻き緩むコイルバネにて構成され、前記軸本体４と同軸芯となって真直とされるとともに、前記軸部３の軸線に対して偏芯した方向の力により屈曲し揺動自在となる可撓性を有する可撓部５と、
で構成され、
前記つまみ部１０は、基部１１に対して互いに外方向に延出形成される一対の翼状部分１２を有し、前記軸部３とともに略Ｔ字状に形成されており、
前記つまみ部１０の正面から該つまみ部１０をつまみ、前記軸線を回転中心として回転操作が行われる際には、前記可撓部５を介し前記軸本体４とともに前記軸部３へ回転が伝達されて施解錠操作が行われるとともに、前記つまみ部１０を側方から回動させようとすると、前記可撓部５が前記軸芯に対して屈曲を起こし正常な回動が阻止され、
且つ、前記軸部３と前記つまみ部１０とは、該つまみ部１０の基部１１に形成される凹溝と、前記可撓部５の他端５ｂに折曲形成される真直部８とが嵌合し、互いに脱着自在とされることを特徴とする。
【０００９】
このような構成により、サムターン１は、そのつまみ部１０を正面からしっかりつまむ際にのみ正逆両方向に回動できることとなり、すなわち、つまみ部１０を側方から回動させようとすると、可撓部５が軸芯に対して屈曲などを起こし、正常な回動を行うことを阻止し、不正な回動、つまり解錠操作を防止できることとなる。
【００１０】
そして、前記可撓部５は、施錠方向に巻き締まる方向を巻き方向としたコイルバネにて構成されていることにから、施錠方向への回動操作が助勢され、また、解錠方向への回動操作の場合には、巻き緩みことで軸線に対する揺動が起き易くなり、つまみ部１０の回動操作を軸芯を回転中心としない操作に対しては、その解錠操作を無効とさせることが可能となる。
【００１１】
さらに、前記つまみ部１０と可撓部５とが、互いに脱着自在とされていることで、サムターンを使用しない、または使用不可の状態としたいときに、このつまみ部１０を取り外していおくことができ、また、このつまみ部１０を所望の形状、意匠などと交換が可能となる。
なお、前記つまみ部１０は、前記軸部３の軸芯に対して互いに外方向に延出形成されていることで、前記軸部３とともに略Ｔ字状に形成され、るつまみ易い構造となる。
【００１２】
【発明の実施の形態】
図１は本発明によるサムターンの構造の実施の形態を示す概略分解斜視図、図２は同実施の形態の側面図である。
【００１３】
本実施の形態のサムターン１の構造は、例えば開閉体としての玄関ドア２などに配設される施解錠装置（図示せず）に設けられ、屋外側に表出する鍵穴を有するシリンダ錠（図示せず）に同軸とされて連結され、屋内側に配設される。シリンダ錠とサムターン１とはドア２のフロント板より進退するデッドボルト（図示せず）に連動連結されており、これらシリンダ錠及びサムターン１の回動操作にてデッドボルトの進退操作を行い、このドア２の施錠及び解錠、すなわち、施錠操作時にはデッドボルトの突出を行い、また、解錠操作時には突出しているデッドボルトを後退させる。
【００１４】
サムターン１を構成する軸部３は、軸本体４と可撓部５とで構成されている。
軸本体４は、金属など剛体よりなり、施解錠装置内にて基端がシリンダ錠に連結され、先端４ａ側がドアの屋内面に設けられる座金６より突出して配設される。
【００１５】
また、可撓部５は、サムターン１の中途部となり、軸本体４の先端４ａに固設されている。
この可撓部５は、本実施の形態では、コイルバネにて構成されており、軸部３の軸線方向に対して容易に揺動自在な可撓性を有しており、その一端５ａに折曲形成される真直部７が軸本体４の先端４ａに形成される凹溝９に嵌合して固設されている。
【００１６】
なお、この可撓部５は、好ましくは、その巻き方向が施錠方向に巻き締まる方向、例えば、反時計回りに回動することで施錠となる場合には左巻きに螺旋が形成されるコイルバネとする。
【００１７】
また、サムターン１を構成する軸部３の先端には、つまみ部１０が設けられている。
このつまみ部１０は、金属などの剛体よりなり、可撓部５の他端５ｂに固設される基部１１を有するとともに、この基部１１に対して互いに外方向に延出形成される一対の翼状部分１２を有し、すなわち、各翼状部分１２が軸部３の軸芯に対して外方に延出し、この軸部３とともに略Ｔ字状に形成されている。
なお、このつまみ部１０の基部１１にも、軸本体４の先端４ａと同様に凹溝が形成され、可撓部５の他端５ｂに折曲形成される真直部８が嵌合することで固設されるようになっている。
【００１８】
従ってこのように構成されたサムターン１の構造によれば、サムターン１の軸部３の中途部に可撓部５を設けたので、この可撓部５が軸部３の軸線に対して揺動自在となり、このサムターン１のつまみ部１０を側方から回動させようとしても、軸線に対し偏心した方向の力となることからその可撓部５にて軸芯に対して屈曲などを起こし、これによりサムターン１の回動を阻止することとなる。
【００１９】
また、このサムターン１に対して、正面から回動操作を行う場合には、サムターンのつまみ部１０に対向状態で、このつまみ部１０をつまみ、回動操作を行う。この回動操作においては、つまみ部１０の回転が可撓部５に伝達するが、軸芯を回転中心として回転が行われることから、この可撓部５が撓むことなく、その回転が伝達され、軸本体４へ回転が伝わり、すなわちサムターン１は回転することとなって、施錠操作または解錠操作が行えることとなる。
【００２０】
特に、上記本実施の形態のサムターン１の構造によれば、可撓部５をコイルバネにて構成し、かつ、このコイルバネの巻き方向を施錠方向に巻き締まる方向としたことにより、施錠方向への回動操作が助勢されることとなるとともに、解錠方向への回動操作の場合には、この可撓部５のコイルバネが巻き緩むようになることから、軸線に対する揺動が起き易くなりつまみ部１０の回動操作を軸芯を回転中心としない操作に対しては、その解錠操作を無効とさせることが可能となる。
【００２１】
すなわち、上記のことから、このサムターン１の構造によれば、サムターン１のつまみ部１０を正面からしっかりつまむ際にのみ正逆両方向に回動できることとなり、すなわち、つまみ部１０を側方から回動させようとすると、可撓部５が軸芯に対して屈曲などを起こし、正常な回動を行うことを阻止し、不正な回動、つまり解錠操作を防止できることとなり、防犯の効果を得ることができる。
【００２２】
なお、上述した実施の形態では、可撓部５を、コイルバネにて構成し、このコイルバネを、施錠する方向に巻き締まる方向に巻き方向が形成されているコイルバネとした例について述べたが、この可撓部５を構成するコイルバネは、例えば、図３に示すような、二重コイルバネにて構成させてもよい。
この場合、この二重コイルバネは、右巻きコイルバネと左巻きコイルバネとを組み合わせた二重螺旋構造のコイルバネが好ましい。
【００２３】
また、上述した実施の形態では、可撓部５をコイルバネにて構成する例について述べたが、この可撓部５はこれに限定されることはなく、つまみ部１０の軸芯を回転中心とする回動操作に対しては、その回転力を軸部３の軸本体４へ伝達が可能で、かつ軸芯に対する回動とは異なる偏心した方向の力が加わっている場合では、可撓部５が可撓することで、軸の回転を行えないようにする構成であればよい。
【００２４】
さらに、上述した実施の形態では、軸部３の可撓部５とつまみ部１０とを固着状態で連結させた構成の例について述べたが、可撓部５に対して、つまみ部１０が脱着自在な構成としてもよい。
この場合、サムターン１を使用しない、または使用不可の状態としたいときに、このつまみ部１０を可撓部５に対して取り外しておくことができ、また、つまみ部１０の形状を所望の形状に、例えば、座金部分やエスカチオン，ドアなどの意匠性と合わせて交換させることが可能となるとともに、部品としての汎用性を得られることとなる。
【００２５】
また、上述した実施の形態では、軸部３とつまみ部１０とで構成するとともに、軸部３を軸本体４と可撓部５とで構成して、すなわち、３つの構成部材でサムターン１を構成した例について述べたが、軸部３の中途部が可撓性を有する素材とされれば一体構造とされるサムターンとしてもよい。
【００２６】
【発明の効果】
以上説明したように本発明のサムターンの構造によれば、サムターンの軸部として軸本体と可撓部とで構成し、その可撓部が軸部の軸線に対して揺動自在となり、このサムターンのつまみ部を側方から手探りなどで不正に回動させようとしても、その可撓部にて軸芯に対して屈曲などを起こし、これによりサムターンの回動を阻止することとなり、その操作を無効とさせる効果がある。
【００２７】
また、このサムターンに対して、正面から回動操作を行う場合には、サムターンのつまみ部に対向状態で、このつまみ部をつまみ、回動操作を行うこととなり、この回動操作においては、つまみ部の回転が軸芯を回転中心として回転が行われて可撓部に伝達することから、この可撓部が撓むことなく、その回転が伝達され、軸本体へ回転が伝わり、すなわちサムターンは回転することとなって、施錠操作または解錠操作が行えることとなる。
特に、可撓部をコイルバネにて構成し、かつ、このコイルバネの巻き方向を施錠方向に巻き締まる方向としたことにより、施錠方向への回動操作が助勢されることとなるとともに、解錠方向への回動操作の場合には、この可撓部のコイルバネが巻き緩むようになることから、軸線に対する揺動が起き易くなり、つまみ部の回動操作を軸芯を回転中心としない操作に対しては、その解錠操作を無効とさせることが可能となる。
【００２８】
すなわち、上記のことから、このサムターンの構造によれば、サムターンのつまみ部を正面からしっかりつまむ際にのみ正逆両方向に回動できることとなり、すなわち、つまみ部分を側方から回動させようとすると、可撓部が軸芯に対して屈曲などを起こし、正常な回動を行うことを阻止し、不正な回動操作、つまり解錠操作を防止できることとなり、防犯の効果を得ることができる。
さらに、軸部の可撓部とつまみ部とを、可撓部に対して、つまみ部が脱着自在な構成としたことで、サムターンを使用しない、または使用不可の状態としたいときに、このつまみ部を可撓部に対して取り外しておくことができ、また、つまみ部の形状を所望の形状に、例えば、座金部分やエスカチオン，ドアなどの意匠性と合わせて交換させることが可能となるとともに、部品としての汎用性を得られることとなる。
【図面の簡単な説明】
【図１】本発明によるサムターンの構造の実施の形態を示す概略分解斜視図
【図２】同実施の形態の一部裁断側面図
【図３】他の実施の形態のサムターンの構造の側断面図
【符号の説明】
１…サムターン
３…軸部
５…可撓部
１０…つまみ部
【図１】
0004460080.tif 000002
【図２】
0004460080.tif 000003
【図３】
0004460080.tif 000004